(57)【要約】フィルムコンデンサ（１）は、コンデンサ素子ユニット（１０）と、コンデンサ素子ユニット（１０）を覆う絶縁性の外装樹脂（２０）とを備える。コンデンサ素子ユニット（１０）は、コンデンサ素子と、コンデンサ素子の左端面電極に接続される左バスバーと、コンデンサ素子の右端面電極に接続される右バスバーとを含む。左バスバーおよび右バスバーは、これらバスバーの一端部に形成され、外装樹脂（２０）の前面（２０ａ）から露出して外部端子に接続される左接続端子部（２２０）および右接続端子部（３２０）を有し、外装樹脂（２０）の前面（２０ａ）には、左接続端子部（２２０）と右接続端子部（３２０）とを結ぶ経路上に存在するように、前面（２０ａ）から隆起する第１隆起部（２１）および第２隆起部（２２）が、外装樹脂（２０）と一体形成される。
2018074138.tif 000002
【特許請求の範囲】
【請求項１】
コンデンサ素子ユニットと、
前記コンデンサ素子ユニットを覆う絶縁性の外装樹脂と、を備え、
前記コンデンサ素子ユニットは、
コンデンサ素子と、
前記コンデンサ素子の一方の端面電極に接続される第１バスバーと、
前記コンデンサ素子の他方の端面電極に接続される第２バスバーと、
を含み、
前記第１バスバーおよび前記第２バスバーは、これらバスバーの一端部に形成され、前記外装樹脂の一面から露出して外部端子に接続される第１接続端子部および第２接続端子部を有し、
前記外装樹脂の一面には、前記第１接続端子部と前記第２接続端子部とを結ぶ経路上に存在するように、当該一面から隆起する隆起部が、前記外装樹脂と一体形成される、
ことを特徴とするコンデンサ。
【請求項２】
請求項１に記載のコンデンサにおいて、
前記隆起部は、前記１接続端子部および前記第２接続端子部のうち、少なくとも一方の接続端子部を囲むように形成される、
ことを特徴とするコンデンサ。
【請求項３】
請求項２に記載のコンデンサにおいて、
前記隆起部は、前記少なくとも一方の接続端子部の外面に接し、
前記少なくとも一方の接続端子部の外面には、前記外装樹脂の一面に沿う方向に窪み、前記隆起部を構成する樹脂が入り込む窪み部が形成される、
ことを特徴とするコンデンサ。
【請求項４】
請求項１に記載のコンデンサにおいて、
前記隆起部は、前記第１接続端子部と前記第２接続端子部の間に位置し、これら接続端子部の並び方向と交差する方向に延びるリブ形状を有する、
ことを特徴とするコンデンサ。
【発明の詳細な説明】
【技術分野】
【０００１】
本発明は、コンデンサに関する。
【背景技術】
【０００２】
上下および左右方向に配列された複数のコンデンサ素子と、各コンデンサ素子の両端面に形成された金属電極に接続された一対の外部引き出し端子（バスバー）とで構成されるコンデンサユニットを、外装樹脂により被覆したケースレス構造のフィルムコンデンサが特許文献１に記載されている。【０００３】
特許文献１のフィルムコンデンサでは、外部引き出し端子の先端部に、外部端子が接続される接続端子部が形成される。コンデンサユニットは外装樹脂によって被覆され、外装樹脂の上面から、それぞれの外部引き出し端子の接続端子部が露出する。
【先行技術文献】
【特許文献】
【０００４】
【特許文献１】特開２０１４−２１６４５３号公報
【発明の概要】
【発明が解決しようとする課題】
【０００５】
上記フィルムコンデンサでは、外装樹脂の上面において、一方のバスバーの接続端子部と、この接続端子部とは異極である他方のバスバーの接続端子部との間の経路がほぼ平坦な面となっている。このため、この経路上に塵埃や結露による水が堆積した場合に、異極である２つの接続端子部が塵埃や水によって接続された状態となりやすく、このような状態でフィルムコンデンサが使用されたときに、２つの接続端子部の間でトラッキングが生じる虞がある。【０００６】
かかる課題に鑑み、本発明は、異極となる接続端子部間でのトラッキングの発生を防止し得るコンデンサを提供することを目的とする。
【課題を解決するための手段】
【０００７】
本発明の主たる態様に係るコンデンサは、コンデンサ素子ユニットと、前記コンデンサ素子ユニットを覆う絶縁性の外装樹脂と、を備える。ここで、前記コンデンサ素子ユニットは、コンデンサ素子と、前記コンデンサ素子の一方の端面電極に接続される第１バスバーと、前記コンデンサ素子の他方の端面電極に接続される第２バスバーと、を含む。前記第１バスバーおよび前記第２バスバーは、これらバスバーの一端部に形成され、前記外装樹脂の一面から露出して外部端子に接続される第１接続端子部および第２接続端子部を有し、前記外装樹脂の一面には、前記第１接続端子部と前記第２接続端子部とを結ぶ経路上に存在するように、当該一面から隆起する隆起部が、前記外装樹脂と一体形成される。
【発明の効果】
【０００８】
本発明によれば、異極となる接続端子部間でのトラッキングの発生を防止し得るコンデンサを提供できる。【０００９】
本発明の効果ないし意義は、以下に示す実施の形態の説明により更に明らかとなろう。ただし、以下に示す実施の形態は、あくまでも、本発明を実施化する際の一つの例示であって、本発明は、以下の実施の形態に記載されたものに何ら制限されるものではない。
【図面の簡単な説明】
【００１０】
【図１】図１は、実施の形態に係る、フィルムコンデンサの斜視図である。
【図２】図２は、実施の形態に係る、外装樹脂で覆われる前の２つのコンデンサ素子ユニットの斜視図である。
【図３】図３は、実施の形態に係る、上下逆さまにした状態の２つのコンデンサ素子ユニットの斜視図である。
【図４】図４は、実施の形態に係る、コンデンサ素子ユニットの分解斜視図である。
【図５】図５は、実施の形態に係る、一方のコンデンサ素子ユニットの左接続端子部および右接続端子部の位置で切断したフィルムコンデンサの前部の縦断面図である。
【図６】図６（ａ）は、実施の形態に係る、２つのコンデンサ素子ユニットが収容された状態の成形型枠の正面図であり、図６（ｂ）は、実施の形態に係る、図６（ａ）のＡ−Ａ´線で切断された成形型枠の前部の縦断面図である。
【図７】図７は、実施の形態に係る、図６（ａ）のＢ−Ｂ´線で切断された成形型枠の縦断面図である。
【図８】図８（ａ）は、変更例１に係る、フィルムコンデンサの前部の斜視図であり、図８（ｂ）は、変更例２に係る、フィルムコンデンサの前部の斜視図である。
【図９】図９（ａ）ないし（ｃ）は、その他の変更例に係る、フィルムコンデンサの正面図である。
【発明を実施するための形態】
【００１１】
以下、本発明のコンデンサの一実施形態であるフィルムコンデンサ１について図面を参照して説明する。便宜上、各図には、適宜、前後、左右および上下の方向が付記されている。なお、図示の方向は、あくまでフィルムコンデンサ１の相対的な方向を示すものであり、絶対的な方向を示すものではない。
【００１２】
本実施の形態において、フィルムコンデンサ１が、特許請求の範囲に記載の「コンデンサ」に対応する。また、前面２０ａが、特許請求の範囲に記載の「一面」に対応する。さらに、第１隆起部２１および第２隆起部２２が、特許請求の範囲に記載の「隆起部」に対応する。さらに、左端面電極１１１が、特許請求の範囲に記載の「一方の端面電極」に対応し、右端面電極１１２が、特許請求の範囲に記載の「他方の端面電極」に対応する。さらに、左バスバー２００が、特許請求の範囲に記載の「第１バスバー」に対応し、右バスバー３００が、特許請求の範囲に記載の「第２バスバー」に対応する。さらに、左接続端子部２２０が、特許請求の範囲に記載の「第１接続端子部」に対応し、右接続端子部３２０が、特許請求の範囲に記載の「第２接続端子部」に対応する。
【００１３】
ただし、上記記載は、あくまで、特許請求の範囲の構成と実施形態の構成とを対応付けることを目的とするものであって、上記対応付けによって特許請求の範囲に記載の発明が実施形態の構成に何ら限定されるものではない。
【００１４】
図１は、本実施の形態に係る、フィルムコンデンサ１の斜視図である。図２は、本実施の形態に係る、外装樹脂２０で覆われる前の２つのコンデンサ素子ユニット１０の斜視図である。図３は、本実施の形態に係る、上下逆さまにした状態の２つのコンデンサ素子ユニット１０の斜視図である。図４は、本実施の形態に係る、コンデンサ素子ユニット１０の分解斜視図である。図５は、本実施の形態に係る、一方のコンデンサ素子ユニット１０の左接続端子部２２０および右接続端子部３２０の位置で切断したフィルムコンデンサ１の前部の縦断面図である。なお、図５では、フィルムコンデンサ１が、その前面が上を向くような状態で描かれている。
【００１５】
フィルムコンデンサ１は、左右方向に並ぶ２つのコンデンサ素子ユニット１０と、これらコンデンサ素子ユニット１０を覆う外装樹脂２０とを備える。
【００１６】
コンデンサ素子ユニット１０は、コンデンサ素子群１００と、左バスバー２００と、右バスバー３００と、２個の上スペーサ４００と、２個の下スペーサ５００とを含む。
【００１７】
コンデンサ素子群１００は、上下および左右方向に配列された複数のコンデンサ素子１１０により構成される。本実施の形態では、コンデンサ素子群１００が４０個のコンデンサ素子１１０により構成される。コンデンサ素子１１０は上下６段に積まれ、中央の４つの段では、７個のコンデンサ素子１１０が前後に配列され、最も上と最も下の段では、６個のコンデンサ素子１１０が前後に配列される。各コンデンサ素子１１０は、両端面が左右方向を向く。
【００１８】
コンデンサ素子１１０は、誘電体フィルム上にアルミニウムを蒸着させた２枚の金属化フィルムを重ね、重ねた金属化フィルムを巻回または積層し、扁平状に押圧することにより形成される。コンデンサ素子１１０には、左側の端面に、亜鉛等の金属の吹付けにより左端面電極１１１が形成され、右側の端面に、同じく亜鉛等の金属の吹付けにより右端面電極１１２が形成される。
【００１９】
なお、コンデンサ素子１１０は、誘電体フィルム上にアルミニウムを蒸着させた金属化フィルム以外にも、亜鉛、マグネシウム等の他の金属を蒸着させた金属化フィルムにより形成されてもよい。あるいは、コンデンサ素子１１０は、これらの金属のうち、複数の金属を蒸着させた金属化フィルムにより形成されてもよいし、これらの金属どうしの合金を蒸着させた金属化フィルムにより形成されてもよい。
【００２０】
左バスバー２００は、左バスバー本体２１０と、２つの左接続端子部２２０とで構成される。左バスバー本体２１０は、導電性材料、たとえば、銅板により形成され、左電極端子部２１１と、左端子取付部２１２とを含む。左バスバー本体２１０は、たとえば、一枚の銅板を適宜切り抜き、折り曲げることによって形成され、これら左電極端子部２１１と、左端子取付部２１２とが一体となっている。
【００２１】
左電極端子部２１１は、ほぼ長方形状を有し、各コンデンサ素子１１０の左端面電極１１１を覆う。左電極端子部２１１には、前後方向および上下方向に並ぶようにして２４個の開口部２１３が形成される。また、左電極端子部２１１には、その上端縁、下端縁および後端縁と、各開口部２１３の上縁とに、各コンデンサ素子１１０の左端面電極１１１に対応して、一対の電極ピン２１４が形成される。
【００２２】
左端子取付部２１２は、左電極端子部２１１の前端縁から右方に延び、前側の４つのコンデンサ素子１１０の周面を覆う。左端子取付部２１２は、その下部が右側に大きく張り出し、この張出部２１２ａに、上下方向に並ぶようにして、左接続端子部２２０の取付に用いられる２つの挿通孔２１５が形成される（図５参照）。
【００２３】
左接続端子部２２０は、銅などの導電性材料により形成され、ほぼ円柱形状を有する。左接続端子部２２０の前面には、雌ネジが形成された第１ネジ穴２２１が形成される。また、左接続端子部２２０の後面には、雌ネジが形成された第２ネジ穴２２２が形成される（図５参照）。第２ネジ穴２２２は第１ネジ穴２２１より小さく、第１ネジ穴２２１に繋がる。さらに、左接続端子部２２０には、後部の周面に環状の第１フランジ部２２３と環状の第２フランジ部２２４とが設けられ、これら第１フランジ部２２３と第２フランジ部２２４との間に、左接続端子部２２０の中心側（外装樹脂２０の前面２０ａに沿う方向）に窪む窪み部２２５が形成される。
【００２４】
２つの左接続端子部２２０は、互いが近接して上下方向に並ぶように、左端子取付部２１２に配置される。各左接続端子部２２０の第２ネジ穴２２２が左端子取付部２１２の各挿通孔２１５に整合する。ネジ２３０が挿通孔２１５に通され、第２ネジ穴２２２に止められることにより、各左接続端子部２２０が左端子取付部２１２に固定される。さらに、各左接続端子部２２０と左端子取付部２１２とは、半田付けによっても固定される。
【００２５】
右バスバー３００は、右バスバー本体３１０と、２つの右接続端子部３２０とで構成される。右バスバー本体３１０は、導電性材料、たとえば、銅板により形成され、右電極端子部３１１と、右端子取付部３１２とを含む。右バスバー本体３１０は、たとえば、一枚の銅板を適宜切り抜き、折り曲げることによって形成され、これら右電極端子部３１１と、右端子取付部３１２とが一体となっている。
【００２６】
右電極端子部３１１は、ほぼ長方形状を有し、各コンデンサ素子１１０の右端面電極１１２を覆う。右電極端子部３１１には、前後方向および上下方向に並ぶようにして２４個の開口部３１３が形成される。また、右電極端子部３１１には、その上端縁、下端縁および後端縁と、各開口部３１３の上縁とに、各コンデンサ素子１１０の右端面電極１１２に対応して、一対の電極ピン３１４が形成される。
【００２７】
右端子取付部３１２は、右電極端子部３１１の前端縁から左方に延び、前側の４つのコンデンサ素子１１０の周面を覆う。右端子取付部３１２は、その上部が左側に大きく張り出し、この張出部３１２ａに、上下方向に並ぶようにして、右接続端子部３２０の取付に用いられる２つの挿通孔３１５が形成される（図５参照）。
【００２８】
右接続端子部３２０は、左接続端子部２２０と同様の構成を有し、第１ネジ穴３２１、第２ネジ穴３２２、第１フランジ部３２３、第２フランジ部３２４および窪み部３２５を備える。２つの右接続端子部３２０は、互いが近接して上下方向に並ぶように、右端子取付部３１２に配置される。各右接続端子部３２０は、ネジ３３０によって右端子取付部３１２に固定される。さらに、各右接続端子部３２０と右端子取付部３１２とは、半田付けによっても固定される。
【００２９】
左バスバー２００は、左電極端子部２１１の各電極ピン２１４が各コンデンサ素子１１０の左端面電極１１１に半田Ｓで半田着けされることにより、左端面電極１１１に電気的に接続される。また、右バスバー３００は、右電極端子部３１１の各電極ピン３１４が各コンデンサ素子１１０の右端面電極１１２に半田Ｓで半田着けされることにより、右端面電極１１２に電気的に接続される。半田Ｓによってコンデンサ素子群１００と左バスバー２００と右バスバー３００とが結合される。
【００３０】
２つの左接続端子部２２０と２つの右接続端子部３２０とは、コンデンサ素子ユニット１０の前側において、十分な絶縁距離を置いて、上下一直線上に並ぶ。左接続端子部２２０と右接続端子部３２０とは、互いに異極となる。
【００３１】
２つの上スペーサ４００は、コンデンサ素子群１００の最上段の最前部と最後部のコンデンサ素子１１０の上に配置される。また、２つの下スペーサ５００は、コンデンサ素子群１００の最下段の最前部と最後部のコンデンサ素子１１０の下に配置される。
【００３２】
外装樹脂２０は、エポキシ樹脂などの熱硬化性の樹脂により形成され、２つのコンデンサ素子ユニット１０を湿気や衝撃から保護する。また、外装樹脂２０は絶縁性を有する。
【００３３】
外装樹脂２０は、外形がほぼ直方体形状を有する。外装樹脂２０の前面２０ａからは、左側のコンデンサ素子ユニット１０の２つの左接続端子部２２０および２つの右接続端子部３２０と、右側のコンデンサ素子ユニット１０の２つの左接続端子部２２０および２つの右接続端子部３２０とが、前方に露出する。４つの上スペーサ４００は、一部が外装樹脂２０の上面２０ｂから上方に露出した状態となり、４つの下スペーサ５００は、全体が外装樹脂２０内に埋没した状態となる。
【００３４】
外装樹脂２０から露出した左接続端子部２２０および右接続端子部３２０に外部端子（図示せず）が接続される。この際、左接続端子部２２０の第１ネジ穴２２１に外部端子を接続するためのネジ（図示せず）が止められ、右接続端子部３２０の第１ネジ穴３２１に外部端子を接続するためのネジ（図示せず）が止められる。
【００３５】
外装樹脂２０の前面２０ａには、２つの左接続端子部２２０を取り囲むように前面２０ａから隆起する第１隆起部２１と、２つの右接続端子部３２０を取り囲むように前面２０ａから隆起する第２隆起部２２とが形成される。第１隆起部２１および第２隆起部２２は、前方から見て上下方向に長い長円形状に形成される。これにより、左側のコンデンサ素子ユニット１０における、互いに異極となる左接続端子部２２０と右接続端子部３２０とを結ぶ経路上、および、右側のコンデンサ素子ユニット１０における、互いに異極となる左接続端子部２２０と右接続端子部３２０とを結ぶ経路上に第１隆起部２１の一部と第２隆起部２２の一部とが存在することとなる。また、左側のコンデンサ素子ユニット１０の左接続端子部２２０は、右側のコンデンサ素子ユニット１０の左接続端子部２２０または右接続端子部３２０と異極となり得るが、これらを結ぶ経路上にも、第１隆起部２１の一部と第２隆起部２２の一部とが存在することとなる。さらに、左側のコンデンサ素子ユニット１０の右接続端子部３２０は、右側のコンデンサ素子ユニット１０の左接続端子部２２０または右接続端子部３２０と異極となり得るが、これらを結ぶ経路上にも、第１隆起部２１の一部と第２隆起部２２の一部とが存在することとなる。
【００３６】
図５に示すように、フィルムコンデンサ１が、車両などの設置先において、外装樹脂２０の前面２０ａが上になるように設置された場合、外装樹脂２０の前面２０ａに塵埃や結露した水などの異物が堆積しやすい。しかしながら、外装樹脂２０の前面２０ａには、２つの左接続端子部２２０と２つの右接続端子部３２０とを結ぶ経路上に第１隆起部２１および第２隆起部２２が存在するため、経路上に異物が堆積しても、外装樹脂２０の前面２０ａと第１隆起部２１および第２隆起部２２との段差により異物が分断される。これにより、左接続端子部２２０と右接続端子部３２０とが異物によって電気的に接続された状態となりにくい。
【００３７】
同様に、一方のコンデンサ素子ユニット１０の左接続端子部２２０および右接続端子部３２０と他方のコンデンサ素子ユニット１０の左接続端子部２２０および右接続端子部３２０との間も異物によって電気的に接続された状態となりにくい。
【００３８】
ここで、第１隆起部２１は、左接続端子部２２０の外周面に接しており、左接続端子部２２０の窪み部２２５に第１隆起部２１を構成する樹脂が入り込む状態となっている。これにより、左接続端子部２２０が外装樹脂２０から抜ける方向に力を受けても、窪み部２２５に入り込んだ樹脂に第２フランジ部２２４が引っ掛かるため、左接続端子部２２０が、外装樹脂２０から抜ける方向に動きにくい。同様に、第２隆起部２２は、右接続端子部３２０の外周面に接しており、右接続端子部３２０の窪み部３２５に第２隆起部２２を構成する樹脂が入り込む状態となっている。よって、右接続端子部３２０も、外装樹脂２０から抜ける方向に動きにくい。
【００３９】
次に、２つのコンデンサ素子ユニット１０の周囲に外装樹脂２０を形成する方法（工程）の一例について説明する。
【００４０】
図６（ａ）は、本実施の形態に係る、２つのコンデンサ素子ユニット１０が収容された状態の成形型枠２の正面図であり、図６（ｂ）は、本実施の形態に係る、図６（ａ）のＡ−Ａ´線で切断された成形型枠２の前部の縦断面図である。図７は、本実施の形態に係る、図６（ａ）のＢ−Ｂ´線で切断された成形型枠２の縦断面図である。
【００４１】
２つのコンデンサ素子ユニット１０を外装樹脂２０で被覆するために、溶融状態の熱硬化性の樹脂が充填される成形型枠２が用いられる。
【００４２】
成形型枠２は、アルミニウムなどの金属材料からなる前側面板６１０、後側面板６２０、底面板６３０、左側面板６４０および右側面板６５０によってほぼ直方体の箱状に形成され、上面が開口する。成形型枠２の内部の収容室２ａに、所定の隙間を有する状態で左右に並ぶようにして、２つのコンデンサ素子ユニット１０が収容される。収容室２ａは、収容された２つのコンデンサ素子ユニット１０の大きさよりも外装樹脂２０の肉厚分だけ大きい。
【００４３】
前側面板６１０の後面には、第１隆起部２１を形成するための第１凹部６１１と、第２隆起部２２を形成するための第２凹部６１２とが形成される。また、第１凹部６１１の底面６１１ａには、上下に並ぶようにして、左接続端子部２２０の外径より僅かに大きな２つの第１挿通孔６１３が形成され、第２凹部６１２の底面６１２ａには、上下に並ぶようにして、右接続端子部３２０の外径より僅かに大きな２つの第２挿通孔６１４が形成される。
【００４４】
前側面板６１０が取り付けられていない成形型枠２の収容室２ａ内に、２つのコンデンサ素子ユニット１０が収容される。このとき、コンデンサ素子ユニット１０の左接続端子部２２０および右接続端子部３２０が、収容室２ａ（成形型枠２）の前側面と向き合う状態となる。その後、前方から前側面板６１０が取り付けられる。２つの左接続端子部２２０が第１挿通孔６１３に挿入され、２つの右接続端子部３２０が第２挿通孔６１４に挿入される。前側面板６１０の厚みは、挿入された左接続端子部２２０および右接続端子部３２０が、前側面板６１０から突き出さないよう設定される。左接続端子部２２０の第１ネジ穴２２１と右接続端子部３２０の第１ネジ穴３２１にネジ６６０が止められ、これらネジ６６０で左接続端子部２２０および右接続端子部３２０が前方に締め付けられ、左接続端子部２２０の第１フランジ部２２３の前面が第１凹部６１１の底面６１１ａに強く密着する状態となり、右接続端子部３２０の第１フランジ部３２３の前面が第２凹部６１２の底面６１２ａに強く密着する状態となる。
【００４５】
収容室２ａに収容された各コンデンサ素子ユニット１０と成形型枠２の底面板６３０との間には、下スペーサ５００により、溶融状態の樹脂が入り込む隙間が形成される。
【００４６】
成形型枠２には、前側面板６１０が取り付けられた後に、その上面の前部と後部とにおいて、左側面板６４０と右側面板６５０との間に前固定バー６７０と後固定バー６８０が掛け渡される。前固定バー６７０は、コンデンサ素子群１００の上に配置された前側２つの上スペーサ４００の上部が嵌め込まれる凹部６７１を有し、これら上スペーサ４００を上から押さえる。後固定バー６８０は、コンデンサ素子群１００の上に配置された後側２つの上スペーサ４００の上部が嵌め込まれる凹部６８１を有し、これら上スペーサ４００を上から押さえる。
【００４７】
２つのコンデンサ素子ユニット１０がセットされた成形型枠２の収容室２ａ内に上方から溶融状態の樹脂が注入され、図７の一点鎖線に示すような位置、即ち、前固定バー６７０および後固定バー６８０より少し低く、コンデンサ素子群１００が埋没する位置まで収容室２ａ内に樹脂が満たされる。第１凹部６１１内に樹脂が入り込んで第１隆起部２１が形成され、第２凹部６１２内に樹脂が入り込んで第２隆起部２２が形成される。
【００４８】
このとき、左接続端子部２２０の第１フランジ部２２３と第１凹部６１１の底面６１１ａとが強く密着し、右接続端子部３２０の第１フランジ部３２３と第２凹部６１２の底面６１２ａとが強く密着することで、第１挿通孔６１３および第２挿通孔６１４を通じて樹脂が外部に漏れ出すことが防止される。また、下スペーサ５００の下面には複数の突部５０１が形成されており、これら突部５０１の間を樹脂が通過することで樹脂の流れが下スペーサ５００により妨げられるのを抑制できる。さらに、前固定バー６７０と後固定バー６８０とにより４つの上スペーサ４００を介して２つのコンデンサ素子ユニット１０が上から押さえられるので、溶融状態の樹脂に没した２つのコンデンサ素子ユニット１０、特にそれらの後部が上方に浮いてくるのを防止できる。
【００４９】
収容室２ａ内が熱硬化性の樹脂で満たされると、成形型枠２が加熱される。これにより樹脂が硬化し、第１隆起部２１と第２隆起部２２とを有する外装樹脂２０が形成される。その後、外装樹脂２０の形成が完了したフィルムコンデンサ１が、成形型枠２から取り出される。
【００５０】
本実施の形態では、上記のような構成の成形型枠２を用いることで、コンデンサ素子ユニット１０がセットされた成形型枠２に上方から熱硬化性の樹脂を注入するだけで、容易に第１隆起部２１と第２隆起部２２とを有する外装樹脂２０を形成することができる。
【００５１】
＜実施の形態の効果＞
以上、本実施の形態によれば、以下の効果が奏される。
【００５２】
２つの左接続端子部２２０と２つの右接続端子部３２０とを結ぶ経路上に異物が堆積しても、外装樹脂２０の前面２０ａと第１隆起部２１および第２隆起部２２との段差により異物が分断され、左接続端子部２２０と右接続端子部３２０とが異物によって電気的に接続された状態となりにくい。このため、フィルムコンデンサ１が使用されたときに、左接続端子部２２０と右接続端子部３２０との間でトラッキングが発生することを防止できる。同様に、一方のコンデンサ素子ユニット１０の左接続端子部２２０および右接続端子部３２０と他方のコンデンサ素子ユニット１０の左接続端子部２２０および右接続端子部３２０との間も異物によって電気的に接続された状態となりにくく、これらの間でのトラッキングの発生も防止できる。
【００５３】
さらに、第１隆起部２１および第２隆起部２２は外装樹脂２０と一体形成するようにしているので、別途、絶縁性の材料で第１隆起部２１および第２隆起部２２に相当する部品を製作して左接続端子部２２０および右接続端子部３２０に装着する必要がなく、部品点数や製造工数の増加を避けることができる。
【００５４】
さらに、左接続端子部２２０の窪み部２２５に第１隆起部２１を構成する樹脂が入り込み、右接続端子部３２０の窪み部３２５に第２隆起部２２を構成する樹脂が入り込むような構成であるため、窪み部２２５、３２５に入り込んだ樹脂に第２フランジ部２２４、３２４が引っ掛かり、左接続端子部２２０および右接続端子部３２０が、外装樹脂２０から抜ける方向に動きにくい。これにより、左接続端子部２２０および右接続端子部３２０が動くことによる左バスバー２００や右バスバー３００の変形、破損などを防止できる。
【００５５】
以上、本発明の実施の形態について説明したが、本発明は、上記実施の形態に限定されるものではなく、また、本発明の適用例も、上記実施の形態の他に、種々の変更が可能である。
【００５６】
＜変更例１＞
図８（ａ）は、変更例１に係る、フィルムコンデンサ１の前部の斜視図である。
【００５７】
本変更例では、外装樹脂２０の前面２０ａにおいて、２つの左接続端子部２２０を取り囲むように、長円形の環状の第３隆起部２３が外装樹脂２０と一体形成される。同様に、２つの右接続端子部３２０を取り囲むように、長円形の環状の第４隆起部２４が外装樹脂２０と一体形成される。
【００５８】
本変更例の構成とした場合も、外装樹脂２０の前面２０ａには、２つの左接続端子部２２０と２つの右接続端子部３２０とを結ぶ経路上に第３隆起部２３および第４隆起部２４が存在するため、経路上に塵埃等の異物が堆積しても、外装樹脂２０の前面２０ａと第３隆起部２３および第４隆起部２４との段差により異物が分断される。これにより、左接続端子部２２０と右接続端子部３２０とが異物によって電気的に接続された状態となりにくい。よって、左接続端子部２２０と右接続端子部３２０との間でトラッキングが発生することを防止できる。
【００５９】
同様に、一方のコンデンサ素子ユニット１０の左接続端子部２２０および右接続端子部３２０と他方のコンデンサ素子ユニット１０の左接続端子部２２０および右接続端子部３２０との間も異物によって電気的に接続された状態となりにくく、これらの間でのトラッキングの発生も防止できる。
【００６０】
なお、本変更例において、第３隆起部２３および第４隆起部２４が、特許請求の範囲に記載の「隆起部」に対応する。
【００６１】
＜変更例２＞
図８（ｂ）は、変更例２に係る、フィルムコンデンサ１の前部の斜視図である。
【００６２】
本変更例では、外装樹脂２０の前面２０ａにおいて、２つの左接続端子部２２０と２つの右接続端子部３２０との中間位置に左右方向に延びるリブ形状の第５隆起部２５が外装樹脂２０と一体形成される。同様に、一方のコンデンサ素子ユニット１０の２つの左接続端子部２２０と他方のコンデンサ素子ユニット１０の２つの左接続端子部２２０との中間位置と、一方のコンデンサ素子ユニット１０の２つの右接続端子部３２０と他方のコンデンサ素子ユニット１０の２つの右接続端子部３２０との中間位置とに、上下方向に延びるリブ形状の第６隆起部２６が外装樹脂２０と一体形成される。２つの第５隆起部２５と２つの第６隆起部２６は、外装樹脂２０の前面２０ａの中央部で繋がって十字形状を形成する。
【００６３】
本変更例の構成とした場合も、外装樹脂２０の前面２０ａには、２つの左接続端子部２２０と２つの右接続端子部３２０とを結ぶ経路上に第５隆起部２５が存在するため、経路上に塵埃等の異物が堆積しても、外装樹脂２０の前面２０ａと第５隆起部２５との段差により異物が分断される。これにより、左接続端子部２２０と右接続端子部３２０とが異物によって電気的に接続された状態となりにくい。よって、左接続端子部２２０と右接続端子部３２０との間でトラッキングが発生することを防止できる。
【００６４】
同様に、一方のコンデンサ素子ユニット１０の左接続端子部２２０および右接続端子部３２０と他方のコンデンサ素子ユニット１０の左接続端子部２２０および右接続端子部３２０との間も、第６隆起部２６が設けられることにより、異物によって電気的に接続された状態となりにくく、これらの間でのトラッキングの発生も防止できる。
【００６５】
なお、本変更例において、第５隆起部２５が、特許請求の範囲に記載の「隆起部」に対応する。
【００６６】
＜その他の変更例＞
上記実施の形態では、フィルムコンデンサ１が２つのコンデンサ素子ユニット１０を備える。しかしながら、フィルムコンデンサ１が１つのコンデンサ素子ユニット１０を備えていてもよい。あるいは、フィルムコンデンサ１が３つ以上のコンデンサ素子ユニット１０を備えていてもよい。
【００６７】
また、上記実施の形態では、コンデンサ素子ユニット１０において、左バスバー２００に、２つの左接続端子部２２０が互いに近接するようにまとまって配置され、右バスバー３００に、２つの右接続端子部３２０が互いに近接するようにまとまって配置される。しかしながら、左接続端子部２２０および右接続端子部３２０の配置は如何なるものでもよく、たとえば、図９（ａ）ないし（ｃ）に示すように、コンデンサ素子ユニット１０において、左バスバー２００の２つの左接続端子部２２０と右バスバーの２つの右接続端子部３２０とが上下方向に交互に配置されてもよい。この場合、図９（ａ）のように、個々の左接続端子部２２０の周囲に第１隆起部２１が形成され、個々の右接続端子部３２０の周囲に第２隆起部２２が形成される。また、図９（ｂ）のように、個々の左接続端子部２２０の周囲に第３隆起部２３が形成されてもよく、個々の右接続端子部３２０の周囲に第４隆起部２４が形成されてもよい。さらに、図９（ｃ）のように、交互に並ぶ左接続端子部２２０と右接続端子部３２０のそれぞれの間に、第５隆起部２５が形成されてもよい。図９（ａ）および（ｂ）の構成の場合、第１隆起部２１および第２隆起部２２のうち、どちらか一方が設けられなくてもよいし、第３隆起部２３および第４隆起部２４のうちどちらか一方が設けられなくてもよい。なお、図９（ａ）ないし（ｃ）は、その他の変更例に係る、フィルムコンデンサ１の正面図である。本変更例のフィルムコンデンサ１は、１つのコンデンサ素子ユニット１０を備えるものとされているが、複数のコンデンサ素子ユニット１０を備えていてもよい。
【００６８】
さらに、左バスバー２００に設けられる左接続端子部２２０は、複数でなく１つであってもよく、右バスバー３００に設けられる右接続端子部３２０は、複数でなく１つであってもよい。
【００６９】
さらに、上記実施の形態では、左接続端子部２２０および右接続端子部３２０がほぼ円柱形状に形成される。しかしながら、左接続端子部２２０および右接続端子部３２０の形状は如何なるものでもよい。但し、第１フランジ部２２３、３２３および第２フランジ部２２４、３２４が容易に形成できる形状が望ましい。
【００７０】
さらに、上記実施の形態では、左バスバー２００において、左接続端子部２２０が左バスバー本体２１０とは別部材で構成される。同様に、右バスバー３００において、右接続端子部３２０が右バスバー本体３１０とは別部材で構成される。しかしながら、左接続端子部２２０と左バスバー本体２１０とが１つの部材により一体形成されてもよく、右接続端子部３２０と右バスバー本体３１０とが１つの部材により一体形成されてもよい。
【００７１】
さらに、コンデンサ素子群１００を構成するコンデンサ素子１１０の個数は、如何なる個数であってもよい。また、コンデンサ素子ユニット１０に含まれるコンデンサ素子１１０の個数がコンデンサ素子群１００を構成するように複数個とされなくてもよく、１個であってもよい。
【００７２】
さらに、上記実施の形態では、コンデンサ素子１１０は、誘電体フィルム上にアルミニウムを蒸着させた２枚の金属化フィルムを重ね、重ねた金属化フィルムを巻回または積層することで形成されたものであるが、これ以外にも、誘電体フィルムの両面にアルミニウムを蒸着させた金属化フィルムと絶縁フィルムとを重ね、これを巻回または積層することによりコンデンサ素子１１０を形成してもよい。
【００７３】
さらに、上記実施の形態では、本発明のコンデンサの一例として、フィルムコンデンサ１が挙げられた。しかしながら、本発明は、フィルムコンデンサ１以外のコンデンサに適用することもできる。
【００７４】
この他、本発明の実施の形態は、特許請求の範囲に示された技術的思想の範囲内において、適宜、種々の変更が可能である。
【００７５】
なお、上記実施の形態の説明において「上方」「下方」等の方向を示す用語は、構成部材の相対的な位置関係にのみ依存する相対的な方向を示すものであり、鉛直方向、水平方向等の絶対的な方向を示すものではない。
【産業上の利用可能性】
【００７６】
本発明は、各種電子機器、電気機器、産業機器、車両の電装等に使用されるコンデンサに有用である。
【符号の説明】
【００７７】
１  フィルムコンデンサ（コンデンサ）
１０  コンデンサ素子ユニット
２０  外装樹脂
２０ａ  前面（一面）
２１  第１隆起部（隆起部）
２２  第２隆起部（隆起部）
２３  第３隆起部（隆起部）
２４  第４隆起部（隆起部）
２５  第５隆起部（隆起部）
１００  コンデンサ素子群
１１０  コンデンサ素子
１１１  左端面電極（一方の端面電極）
１１２  右端面電極（他方の端面電極）
２００  左バスバー（第１バスバー）
２２０  左接続端子部（第１接続端子部）
２２５  窪み部
３００  右バスバー（第２バスバー）
３２０  右接続端子部（第２接続端子部）
３２５  窪み部
【図１】
2018074138.tif 000003
【図２】
2018074138.tif 000004
【図３】
2018074138.tif 000005
【図４】
2018074138.tif 000006
【図５】
2018074138.tif 000007
【図６】
2018074138.tif 000008
【図７】
2018074138.tif 000009
【図８】
2018074138.tif 000010
【図９】
2018074138.tif 000011
【手続補正書】
【提出日】平成31年3月13日(2019.3.13)
【手続補正１】
【補正対象書類名】特許請求の範囲
【補正対象項目名】全文
【補正方法】変更
【補正の内容】
【特許請求の範囲】
【請求項１】
コンデンサ素子ユニットと、
前記コンデンサ素子ユニットを覆う絶縁性の外装樹脂と、を備え、
前記コンデンサ素子ユニットは、
コンデンサ素子と、
前記コンデンサ素子の一方の端面電極に接続される第１バスバーと、
前記コンデンサ素子の他方の端面電極に接続される第２バスバーと、
を含み、
前記第１バスバーは、前記第１バスバーの一端部に形成され、前記外装樹脂の一面から露出して外部端子に接続される第１接続端子部を有し、
前記第２バスバーは、前記第２バスバーの一端部に形成され、前記外装樹脂の前記一面から露出して外部端子に接続される第２接続端子部を有し、
前記外装樹脂の前記一面には、前記第１接続端子部と前記第２接続端子部とを結ぶ経路上に、当該一面から隆起する隆起部が存在し、
前記隆起部は、前記外装樹脂と一体形成される、
ことを特徴とするコンデンサ。
【請求項２】
請求項１に記載のコンデンサにおいて、
前記隆起部は、前記１接続端子部および前記第２接続端子部のうち、少なくとも一方の接続端子部を囲むように形成される、
ことを特徴とするコンデンサ。
【請求項３】
請求項２に記載のコンデンサにおいて、
前記隆起部は、前記少なくとも一方の接続端子部の外面に接し、
前記少なくとも一方の接続端子部の前記外面には、前記外装樹脂の前記一面に沿う方向に窪む窪み部が形成され、
前記窪み部に前記隆起部を構成する樹脂が入り込んでいる、
ことを特徴とするコンデンサ。
【請求項４】
請求項１に記載のコンデンサにおいて、
前記隆起部は、前記第１接続端子部と前記第２接続端子部の間に位置し、前記第１接続端子部と前記第２接続端子部の並び方向と交差する方向に延びるリブ形状を有する、
ことを特徴とするコンデンサ。
【手続補正２】
【補正対象書類名】明細書
【補正対象項目名】０００７
【補正方法】変更
【補正の内容】
【０００７】
本発明の主たる態様に係るコンデンサは、コンデンサ素子ユニットと、前記コンデンサ素子ユニットを覆う絶縁性の外装樹脂と、を備える。ここで、前記コンデンサ素子ユニットは、コンデンサ素子と、前記コンデンサ素子の一方の端面電極に接続される第１バスバーと、前記コンデンサ素子の他方の端面電極に接続される第２バスバーと、を含む。前記第１バスバーは、前記第１バスバーの一端部に形成され、前記外装樹脂の一面から露出して外部端子に接続される第１接続端子部を有し、前記第２バスバーは、前記第２バスバーの一端部に形成され、前記外装樹脂の前記一面から露出して外部端子に接続される第２接続端子部を有する。前記外装樹脂の前記一面には、前記第１接続端子部と前記第２接続端子部とを結ぶ経路上に、当該一面から隆起する隆起部が存在し、前記隆起部は、前記外装樹脂と一体形成される。
【国際調査報告】
2018074138.tif 000012
2018074138.tif 000013
2018074138.tif 000014
2018074138.tif 000015